(57)【要約】【課題】  溶融状態の廃プラスチックを成形できる小型で廉価な廃プラスチック処理装置を提供する。【解決手段】  固体状の廃プラスチックを溶融状態にした廃プラスチック溶融体８０が冷却成形テーブル４８と成形ローラ５２との間に搬送供給されると、この廃プラスチック溶融体８０は、冷却成形テーブル４８に当接した状態で冷却されながら成形ローラ５２と冷却成形テーブル４８によって圧縮成形される。このような本廃プラスチック処理装置は、廃プラスチック溶融体８０を成形ローラ５２と冷却成形テーブル４８によって成形するという簡単な構成となっているため、装置を小型化できると共に廉価にすることができる。【選択図】        図２
2005074898.tif 000002
【特許請求の範囲】
【請求項１】
上面に供給された溶融状態の廃プラスチックを冷却する冷却テーブルと、
前記冷却テーブルと対向して配置され、前記冷却テーブルとの間に搬送された前記廃プラスチックを前記冷却テーブルと協働して成形する成形ローラと、
を備えた廃プラスチック処理装置。
【請求項２】
前記冷却テーブルは、
前記廃プラスチックの側部を冷却する一対の側壁部を備えた、
ことを特徴とする請求項１記載の廃プラスチック処理装置。
【請求項３】
前記廃プラスチックの搬送方向に沿って、前記成形ローラが複数設けられた、
ことを特徴とする請求項１又は請求項２記載の廃プラスチック処理装置。
【請求項４】
前記冷却テーブルの内部に循環槽を設けると共に、前記循環槽に前記廃プラスチックを冷却するための液状の冷却媒体を循環させた、
ことを特徴とする請求項１乃至請求項３の何れか１項記載の廃プラスチック処理装置。
【請求項５】
前記冷却テーブルの循環槽と連通し前記冷却媒体を蓄えたタンクを有し、かつ、前記冷却媒体を前記タンクにおいて自然放冷させると共に、前記タンクと循環槽との間で自然対流させる、
ことを特徴とする請求項４記載の廃プラスチック処理装置。
【請求項６】
前記タンクは、その下部の位置が、前記一対の側壁部のうち一方の上部の位置と略同じ高さ又はそれよりも上方に配置され、
前記タンクの下部を前記一方の側壁部の上部で前記冷却テーブルの循環槽に連通させると共に、前記タンクの上部を前記他方の側壁部の上部で前記冷却テーブルの循環槽に連通させた、
ことを特徴とする請求項５記載の廃プラスチック処理装置。
【請求項７】
前記タンクは、その下部の位置が、前記冷却テーブルの下部の位置と略同じ高さに配置され、
前記タンクの下部を前記冷却テーブルの下部で前記冷却テーブルの循環槽に連通させると共に、前記タンクの上部を前記側壁部の各々の上部で前記冷却テーブルの循環槽に連通させた、
ことを特徴とする請求項５記載の廃プラスチック処理装置。
【発明の詳細な説明】
【技術分野】
【０００１】
本発明は、廃プラスチック、特に、廃発泡スチロール等を加熱溶融処理する廃プラスチック処理装置に関する。
【背景技術】
【０００２】
廃プラスチック（例えば、廃発泡スチロール）を加熱溶融処理する廃プラスチック処理装置には、廃プラスチックを粉砕するための粉砕機と、粉砕された廃プラスチックを加熱溶融させる溶融機と、粉砕機によって粉砕された廃プラスチックを溶融機へ搬送する搬送機とを備えたものがあり、その一例が下記特許文献１に開示されている。
【０００３】
このような廃プラスチック処理装置の溶融機には、加熱板が備えられており、廃プラスチックを加熱板で発生した熱によって溶融するようになっている。このようにして溶融された廃プラスチックは、例えば、溶融機の下流側に容器を配置することで受け止められ、その後に冷却固化する等の処理を施していた。
【０００４】
ところで、従来の廃プラスチック処理装置では、前述の如く溶融後の廃プラスチックを冷却固化するための作業（特に、所定の形状に成形する作業）が煩雑であった。またこの場合、特別な成形装置を用い、このような溶融後の廃プラスチックを所定の形状に冷却固化（成形）することも可能であったが、当該成形装置が大型で高価であった。
【特許文献１】特開２００３−１３６５３０号公報
【発明の開示】
【発明が解決しようとする課題】
【０００５】
本発明は、上記問題点に鑑み、溶融状態の廃プラスチックを成形できる小型で廉価な廃プラスチック処理装置を提供することを目的とする。
【課題を解決するための手段】
【０００６】
請求項１に記載の発明は、上面に供給された溶融状態の廃プラスチックを冷却する冷却テーブルと、前記冷却テーブルと対向して配置され、前記冷却テーブルとの間に搬送された前記廃プラスチックを前記冷却テーブルと協働して成形する成形ローラと、を備えている。
【０００７】
請求項１に記載の発明によれば、溶融状態の廃プラスチックが冷却テーブルと成形ローラとの間に搬送供給されると、この溶融状態の廃プラスチックは、冷却テーブルによって冷却されながら成形ローラと冷却テーブルによって圧縮成形される。
【０００８】
このような本発明は、溶融状態の廃プラスチックを冷却テーブルと成形ローラだけで成形するという簡単な構成なので、装置を小型化できると共に廉価にすることができる。またさらに、装置を小型化することで省スペースで設置することもできる。
【０００９】
請求項２に記載の発明は、請求項１記載の発明において、前記冷却テーブルは、前記廃プラスチックの側部を冷却する一対の側壁部を備えた、ことを特徴とする。
【００１０】
請求項２に記載の発明によれば、溶融状態の廃プラスチックが冷却テーブルの上面に供給されている際には、上記廃プラスチックの側部が冷却テーブルに備えられた一対の側壁部によっても冷却される。またこれと共に、冷却テーブルの側壁部どうしが対向する対向方向において、溶融状態の廃プラスチックの寸法が制限される。従って、廃プラスチックの冷却効率が良くなると共に廃プラスチックの上記対向方向両端の形状を整えることができ、より一層効果的である。
【００１１】
請求項３に記載の発明は、請求項１又は請求項２記載の発明において、前記廃プラスチックの搬送方向に沿って、前記成形ローラが複数設けられた、ことを特徴とする。
【００１２】
請求項３に記載の発明によれば、溶融状態の廃プラスチックが搬送される際に、上記廃プラスチックが成形ローラによって冷却されながら複数回圧縮成形される。これにより、溶融状態の廃プラスチックを所望の形状にすることが容易にできる。
【００１３】
請求項４に記載の発明は、請求項１乃至請求項３の何れか１項記載の発明において、前記冷却テーブルの内部に循環槽を設けると共に、前記循環槽に前記廃プラスチックを冷却するための液状の冷却媒体を循環させた、ことを特徴とする。
【００１４】
請求項４に記載の発明によれば、液状の冷却媒体（例えば、冷水）が、冷却テーブルの循環槽を循環する。ここで、冷却テーブルは溶融状態の廃プラスチックの熱を受けて温度上昇するが、冷却媒体が、冷却テーブルの循環槽を流動しながらこの冷却テーブルを冷却する。従って、冷却テーブルと冷却媒体との間の熱交換が効率良く行えるので、廃プラスチックの冷却効率が良くなり、より一層効果的である。
【００１５】
請求項５に記載の発明は、請求項４記載の発明において、前記冷却テーブルの循環槽と連通し前記冷却媒体を蓄えたタンクを有し、かつ、前記冷却媒体を前記タンクにおいて自然放冷させると共に、前記タンクと循環槽との間で自然対流させる、ことを特徴とする。
【００１６】
請求項５に記載の発明によれば、冷却媒体は、タンクと冷却テーブルの循環槽との間を流動する。ここで、冷却媒体は、自然放冷されることにより自然対流する。従って、冷却媒体を循環させるためのポンプや、冷却テーブルの循環槽を経て温度上昇した冷却媒体を冷却する冷却装置が不要となり、装置を小型化できると共に廉価にすることができる。
【００１７】
また、本発明は、このような液状の冷却媒体を繰り返し利用するので、溶融状態の廃プラスチックの冷却に要するコストを抑えることができる。
【００１８】
請求項６に記載の発明は、請求項５記載の発明において、前記タンクは、その下部の位置が、前記一対の側壁部のうち一方の上部の位置と略同じ高さ又はそれよりも上方に配置され、前記タンクの下部を前記一方の側壁部の上部で前記冷却テーブルの循環槽に連通させると共に、前記タンクの上部を前記他方の側壁部の上部で前記冷却テーブルの循環槽に連通させた、ことを特徴とする。
【００１９】
請求項６に記載の発明によれば、タンクに蓄えられた冷却媒体は、タンク内部で冷却媒体にかかる圧力によって上記タンクの下部から排出されると、一方の側壁部の上部を経て冷却テーブルの循環槽に供給される。次いで、冷却媒体は、冷却テーブルの循環槽を流動しながら冷却テーブルを冷却する。すなわち、冷却媒体は、冷却テーブルの熱を吸収して温度上昇する。この結果、冷却媒体は、自然対流により、他方の側壁部の上部を経てタンクの上部に流動する。温度上昇した冷却媒体は、例えばタンクで自然放冷される。従って、自然放冷により温度が低下した冷却媒体は、自然対流によりタンクの下部へ流動する。
【００２０】
このように、冷却媒体が本発明の廃プラスチック処理装置の内部を循環するため、冷却媒体を循環させるためのポンプや、温度上昇した冷却媒体を冷却する冷却装置が不要となる。従って、本発明は、装置を小型化できると共に廉価にすることができる。またこの場合、本発明は、冷却媒体を円滑に循環させることができ、溶融状態の廃プラスチックの冷却に、より一層効果的である。
【００２１】
請求項７に記載の発明は、請求項５記載の発明において、前記タンクは、その下部の位置が、前記冷却テーブルの下部の位置と略同じ高さに配置され、前記タンクの下部を前記冷却テーブルの下部で前記冷却テーブルの循環槽に連通させると共に、前記タンクの上部を前記側壁部の各々の上部で前記冷却テーブルの循環槽に連通させた、ことを特徴とする。
【００２２】
請求項７に記載の発明によれば、冷却テーブルの循環槽では、冷却媒体が、冷却テーブルを冷却する。この場合において、冷却媒体は、冷却テーブルの熱を吸収して温度上昇する。この結果、冷却媒体は、自然対流により、側壁部の各々の上部を経てタンクの上部に流動する。温度上昇した冷却媒体は、例えばタンクで自然放冷される。従って、自然放冷により温度が低下した冷却媒体は、自然対流により、タンクの下部、さらには冷却テーブルの下部を経て冷却テーブルの循環槽に供給される。
【００２３】
このように、冷却媒体が本発明の廃プラスチック処理装置の内部を循環するため、冷却媒体を循環させるためのポンプや、温度上昇した冷却媒体を冷却する冷却装置が不要となる。従って、本発明は、装置を小型化できると共に廉価にすることができる。またこの場合、本発明は、冷却媒体を円滑に循環させることができ、溶融状態の廃プラスチックの冷却に、より一層効果的である。
【発明の効果】
【００２４】
本発明は、溶融状態の廃プラスチックを成形する装置を小型化できると共に廉価にすることができる。
【発明を実施するための最良の形態】
【００２５】
（第１の実施の形態）
図１には、本発明の第１の実施の形態に係る廃プラスチック処理装置１０の要部の概略が正面断面図によって示されている。
【００２６】
この図に示されるように、廃プラスチック処理装置１０は搬送筒１２を備えている。搬送筒１２は、例えば、水平方向が軸方向とされた略円筒形状に形成されており、その軸方向一端は底部１４により閉止されている。
【００２７】
また、搬送筒１２の上方には、投入ホッパ１６が設けられている。投入ホッパ１６は、上下端が開口した略筒形状に形成されていると共に、下方へ向けて開口半径（若しくは、開口幅寸法）が漸次小さくなる所謂漏斗形状に形成されている。
【００２８】
投入ホッパ１６の下端部に対応して搬送筒１２を構成する周壁１８の底部１４近傍には開口部２０が形成されており、この開口部２０の周囲に下端部が位置するように投入ホッパ１６が搬送筒１２の周壁１８に固定されている。これにより、開口部２０を介して投入ホッパ１６の内部と搬送筒１２の内部とが互いに連通し、投入ホッパ１６の上端から図示しない粗砕装置によって所定の大きさ以下に粗砕された廃プラスチック２２を搬送筒１２内の底部１４近傍に供給できるようになっている。
【００２９】
一方、搬送筒１２の内部には、搬送手段としてのスクリューコンベア２４を構成する回転軸２６が配置されている。回転軸２６は搬送筒１２に対して同軸の棒形状とされており、その一端は自らの軸線周りに底部１４に回転自在に軸支された状態で底部１４を貫通して搬送筒１２の外部に突出している。
【００３０】
搬送筒１２から突出した回転軸２６の一端に対応して搬送筒１２の側方にはモータ２８が配置されており、回転軸２６はモータ２８の駆動力を受けて自らの軸線周りに回動する。
【００３１】
さらに、回転軸２６の外周部には、回転軸２６と共にスクリューコンベア２４を構成する螺旋板３０が回転軸２６に対して一体に設けられている。螺旋板３０は、回転軸２６に対して同軸で且つ外径寸法が搬送筒１２の内径寸法よりも小さな螺旋形状に形成されている。
【００３２】
一方、搬送筒１２内部の回転軸２６よりも開口端側には、加熱筒３２が設けられている。加熱筒３２は内周の一辺が搬送筒１２の内径寸法に略等しい略矩形状（略正方形状）の枠状で、外周部に形成されたフランジ部３４が、搬送筒１２の開口端に形成されたフランジ部３６にボルト等の締結手段によって一体的に固定されている。
【００３３】
加熱筒３２の内側には、複数の加熱板３８が設けられている。各加熱板３８は、鉛直方向（上下方向）に沿って互いに離間し、かつ、廃プラスチック２２の搬送方向（以下、単に搬送方向という。）上流側から搬送方向下流側に向かって離間間隔が次第に狭まるような状態（図１を参照）で、奥行き方向（図１における奥行き方向）両端部が加熱筒３２の内周部に固定されている。
【００３４】
また、各加熱板３８の内部には、加熱板３８の奥行き方向に沿って長手とされたニクロム線（図示省略）が埋設されている。
【００３５】
ニクロム線は、制御盤４４を介して電源４６へ接続されており、制御盤４４の操作により、ニクロム線に所定の電流が流れ、これにより、ニクロム線に抵抗熱が生じる。さらに、ニクロム線で生じた熱は加熱板３８に伝導し、加熱板３８が帯熱するようになっている。
【００３６】
また、加熱筒３２の搬送方向下流側には、冷却テーブルとしての熱伝導性を有する冷却成形テーブル４８が、加熱筒３２から排出された後述する廃プラスチック溶融体８０を受継ぎ可能に配置されている。冷却成形テーブル４８は、上面視で搬送方向に沿って長手とされた略長方形状とされている。この冷却成形テーブル４８は側壁部４８Ａ、４８Ｂを備えており、図２に示されるように、冷却成形テーブル４８の奥行き方向両端部からは、これらの側壁部４８Ａ、４８Ｂが互いに対向して立設されている。従って、冷却成形テーブル４８は、搬送方向と直交する断面から見て、略Ｕ字状とされている。
【００３７】
また、この冷却成形テーブル４８の内部には、循環槽としての水槽５０が形成されている。水槽５０は、冷却テーブル４８の外形に相似な形状とされており、搬送方向と直交する断面の形状が略Ｕ字状とされている。この水槽５０は、液状の冷却媒体としての冷水６２を蓄えたタンク６４（図１では図示省略、図２を参照）に連結されている。
【００３８】
タンク６４は、熱伝導性を有しており、その内部に蓄えられた冷水６２を自然放冷させることにより冷却する。また、タンク６４は、その下部の位置が、側壁部４８Ａの上部の位置と略同じ高さに配置されている。このタンク６４の下部は、パイプ６６を介して側壁部４８Ａの上部で水槽５０に連通している。さらに、タンク６４の上部は、パイプ６８を介して側壁部４８Ｂの上部で水槽５０に連通している。このため、冷却成形テーブル４８の上面４８Ｃの下方及び側壁部４８Ａ、４８Ｂの内部、すなわち水槽５０がこのタンク６４から供給された冷水６２で満たされており、冷却成形テーブル４８の上面４８Ｃ及び側壁部４８Ａ、４８Ｂは、水槽５０の冷水６２によって冷却されている。従って、冷却成形テーブル４８は、その上面４８Ｃに搬送された廃プラスチック溶融体８０及び後述する廃プラスチック成形体８２を冷却する機能を有している。なお、タンク６４は、その下部の位置が、側壁部４８Ａの上部の位置よりも上方に配置されていてもよい。
【００３９】
また、廃プラスチック処理装置１０では、冷水６２の流路が上述のように形成されているため、冷水６２の温度分布にむらが生じると、冷水６２が水槽５０とタンク６４との間で自然対流し、水槽５０とタンク６４とを循環できるようになっている。
【００４０】
さらに、冷却成形テーブル４８の上方には、成形ロール５２、５４が、冷却成形テーブル４８の上面と対向した状態で搬送方向上流側から搬送方向下流側に沿って順に配置されている。成形ロール５２、５４は、これらの駆動源となるモータ（図示省略）の回転軸と、駆動チェーン、駆動ベルト等の連結部材（図示省略）を介してそれぞれ連結されており、それぞれ同一方向へ回転するようになっている。またさらに、成形ロール５２、５４と冷却成形テーブル４８の上面との間には、所定間隔の隙間が設けられており、これらの隙間の寸法によって、上記廃プラスチック成形体８２の厚さ寸法が決定される。
【００４１】
さらに、成形ロール５４の搬送方向下流側には、冷却送風機５６が、その送風口を冷却成形テーブル４８の上面と対向させた状態で配置されている。冷却送風機５６の送風口と冷却成形テーブル４８の上面との間には、上記廃プラスチック成形体８２の厚さ寸法よりも大きな寸法の隙間が形成されており、冷却送風機５６は、この廃プラスチック成形体８２の上面に送風することができるように配置されている。
【００４２】
また、冷却成形テーブル４８の搬送方向下流側には、カッタ５８が配置されている。カッタ５８は、カッタ支持体（図示省略）に支持されており、この支持体に連結された駆動源（図示省略）により上下方向に移動可能とされている。カッタ５８は、廃プラスチック成形体８２をその厚さ方向上方から切断して廃プラスチック成形品８４を形成するために使用される。
【００４３】
次に、本発明の第１の実施の形態の作用並びに効果について説明する。
【００４４】
本廃プラスチック処理装置１０では、先ず、制御盤４４が操作されて各加熱板３８に埋設されたニクロム線に電流が流れ、これにより、廃プラスチック２２を溶融可能な程度の抵抗熱が各ニクロム線に生じ、更に、ニクロム線で生じた抵抗熱は加熱板３８に伝導し、これによって、廃プラスチック２２を溶融可能な温度の熱を加熱板３８が帯びる。
【００４５】
次いで、この状態でモータ２８が作動させられ、スクリューコンベア２４の回転軸２６がその軸線周りに回転させられる。このスクリューコンベア２４の回転状態で投入ホッパ１６の上側開口端から粗砕された廃プラスチック２２が投入される。
【００４６】
投入ホッパ１６内を落下した廃プラスチック２２は、投入ホッパ１６の下側開口端及び搬送筒１２の開口部２０を通過して搬送筒１２内部の底部１４の近傍に収容される。
【００４７】
この状態では、搬送筒１２内でスクリューコンベア２４が回転軸２６周りに回転しているため、スクリューコンベア２４の螺旋板３０に押圧されて搬送筒１２の開口端側へ向けて廃プラスチック２２が移動させられる。
【００４８】
搬送筒１２の開口端近傍に達した廃プラスチック２２は、後続の廃プラスチック２２によって押圧されて、加熱板３８の搬送筒１２側端部に押し当てられる。
【００４９】
この状態では、廃プラスチック２２の溶融が可能な程度に加熱板３８が帯熱しているため、廃プラスチック２２は加熱板３８の搬送筒１２側端部に押し当てられた部分から漸次溶融する。
【００５０】
さらに、後続の廃プラスチック２２に押圧された廃プラスチック２２は、加熱板３８の搬送筒１２側端部を経て加熱板３８の厚さ方向端面に接触し、これにより、更に溶融され減容しつつ加熱板３８の間を通過する。次いで、このようにして減容された廃プラスチック（以下、廃プラスチック溶融体８０という）は、加熱筒３２の搬送筒１２とは反対側の開口端から排出される。
【００５１】
次いで、廃プラスチック溶融体８０は、冷却成形テーブル４８の上面４８Ｃに搬送供給される。廃プラスチック溶融体８０が冷却成形テーブル４８の上面４８Ｃに供給されている際には、廃プラスチック溶融体８０（特に、廃プラスチック溶融体８０の下部）が冷却成形テーブル４８の上面４８Ｃによって冷却される。これと共に、廃プラスチック溶融体８０（特に、廃プラスチック溶融体８０の側部）が冷却成形テーブル４８に備えられた一対の側壁部４８Ａ、４８Ｂによっても冷却される。またこれと共に、上記の奥行き方向（冷却成形テーブル４８の側壁部４８Ａと側壁部４８Ｂとが対向する対向方向）において、廃プラスチック溶融体８０の寸法が制限される。従って、廃プラスチック２２の冷却効率が良くなると共に廃プラスチック溶融体８０の奥行き方向両端の形状を整えることができ、より一層効果的である。
【００５２】
また、廃プラスチック溶融体８０が冷却成形テーブル４８と成形ローラ５２、５４との間に搬送供給されると、この廃プラスチック溶融体８０は、冷却成形テーブル４８によって冷却されながら成形ローラ５２と冷却成形テーブル４８によって圧縮成形される。
【００５３】
このような廃プラスチック処理装置１０は、廃プラスチック溶融体８０を成形ローラ５２、５４と冷却成形テーブル４８によって冷却しながら成形するという簡単な構成となっているため、装置を小型化できると共に廉価にすることができる。またさらに、廃プラスチック処理装置１０を小型化することで省スペースで設置することもできる。
【００５４】
また、廃プラスチック溶融体８０が冷却成形テーブル４８の上面４８Ｃ上で搬送される際に、上記廃プラスチック溶融体８０は成形ローラ５２、５４によって冷却されながら２回圧縮成形される。このように廃プラスチック溶融体８０を複数回圧縮成形することで、廃プラスチック溶融体８０を所望の形状にすることが容易にできる。
【００５５】
このようにして成形された廃プラスチック（以下、廃プラスチック成形体８２という）は、冷却成形テーブル４８の搬送方向下流側に搬送され、カッタ５８によって廃プラスチック成形体８２の厚さ方向上方から切断される。この結果、廃プラスチック成形品８４が出来あがる。
【００５６】
次に、冷水６２がタンク６４と水槽５０とを循環する仕組みについて説明する。
【００５７】
タンク６４に蓄えられた冷水６２は、タンク６４内部で冷水６２にかかる圧力によって上記タンク６４の下部から排出されると、側壁部４８Ａの上部を経て水槽５０に供給される。次いで、冷水６２は、水槽５０内を流動しながら冷却成形テーブル４８を冷却する。この結果、冷却成形テーブル４８と冷水６２との間の熱交換が効率良く行える。
【００５８】
この冷水６２は、冷却成形テーブル６２の熱を吸収して温度上昇すると、自然対流し側壁部４８Ｂの上部を経てタンク６４の上部に流動する。タンク６４は熱伝導性を有しているため、温度上昇した冷水６２は、タンク６４で自然放冷される。従って、自然放冷により温度が低下した冷水６２は、自然対流しタンク６４の下部へ流動する（図２における矢印の向きを参照）。
【００５９】
このように、冷水６２が廃プラスチック処理装置１０の内部を循環するため、冷水６２を循環させるためのポンプや、温度上昇した冷水６２を冷却する冷却装置が不要となる。従って、廃プラスチック処理装置１０は、装置を小型化できると共に廉価にすることができる。またこの場合、廃プラスチック処理装置１０は、冷水６２を円滑に循環させることができ、廃プラスチック溶融体８０及び廃プラスチック成形体８２の冷却に、より一層効果的である。
【００６０】
さらに、廃プラスチック処理装置１０は、冷水６２を繰り返し利用するので、廃プラスチック溶融体８０及び廃プラスチック成形体８２の冷却に要するコストを抑えることができる。
【００６１】
なお、本発明の第１の実施の形態では、２個の成形ローラ（成形ローラ５２、５４）によって廃プラスチック溶融体８０を冷却しながら２回圧縮成形するものとしたが、本発明はこれに限らない。本発明は、成形ローラによる廃プラスチック溶融体８０の圧縮成形回数を２回に限る必要はなく、例えば、成形ローラを３個設けて廃プラスチック溶融体８０を冷却しながら３回圧縮成形するというように、成形ローラの数を変更して廃プラスチック溶融体８０の圧縮成形回数を適宜変更してもよい。
【００６２】
また、本発明の第１の実施の形態では、液状の冷却媒体として冷水６２を用いたが、本発明はこれに限らない。本発明は、例えば、エチレングリコール等の液状の冷却媒体を上記冷水６２の代わりに用いてもよい。
（第２の実施の形態）
本発明の第２の実施の形態に係る廃プラスチック処理装置１０は、上述した本発明の第１の実施の形態において、水槽５０とタンク６４とを連通させるパイプの配管を変更したものである。なお、上述した本発明の第１の実施の形態と同一構成、同一作用、及び同一効果を有する箇所には、同一符号を付してその説明を省略する。
【００６３】
図３は、本発明の第１の実施の形態で用いた図２に対応する図である。この図に示されるように、タンク６４は、その下部の位置が、側壁部４８Ａの下部の位置と略同じ高さに配置されている。このタンク６４の下部は、パイプ７０を介して側壁部４８Ａの下部で水槽５０に連通している。さらに、タンク６４の上部は、パイプ７２を介して水槽５０に連通している。ここで、パイプ７２は、タンク６４の上部から水槽５０に向かって途中で２つのパイプ７２Ａ、７２Ｂに分岐している。パイプ７２Ａは側壁部４８Ａの上部で水槽に５０に連通しており、一方、パイプ７２Ｂは側壁部４８Ｂの上部で水槽５０に連通している。このため、冷却成形テーブル４８の上面４８Ｃの下方及び側壁部４８Ａ、４８Ｂの内部、すなわち水槽５０がこのタンク６４から供給された冷水６２で満たされており、冷却成形テーブル４８の上面４８Ｃ及び側壁部４８Ａ、４８Ｂは、水槽５０の冷水６２によって冷却されている。従って、本発明の第２の実施の形態においても上述した本発明の第１の実施の形態と同様に、冷却成形テーブル４８は、その上面４８Ｃに搬送された廃プラスチック溶融体８０及び廃プラスチック成形体８２を冷却する機能を有している。
【００６４】
また、本実施の形態においても、冷水６２は、その温度分布にむらが生じると、水槽５０とタンク６４との間で自然対流し、水槽５０とタンク６４とを循環できるようになっている。
【００６５】
次に、本発明の第２の実施の形態の作用並びに効果について説明する。
【００６６】
本発明の第２の実施の形態では、廃プラスチック溶融体８０の成形処理については、上述した本発明の第１の実施の形態と同様であるため、その説明を省略する。以下、冷水６２がタンク６４と水槽５０とを循環する仕組みについて説明する。
【００６７】
廃プラスチック溶融体８０が冷却成形テーブル４８の上面４８Ｃに供給されると、冷水６２が、水槽５０内を流動しながら冷却成形テーブル４８を冷却する。この結果、冷却成形テーブル４８と冷水６２との間の熱交換が効率良く行える。
【００６８】
この冷水６２は、冷却成形テーブル４８の熱を吸収して温度上昇すると、自然対流し側壁部４８Ａ、４８Ｂの上部を経てタンク６４の上部に流動する。タンク６４は熱伝導性を有しているため、温度上昇した冷水６４は、タンク６４で自然放冷される。従って、自然放冷により温度が低下した冷水６２は、自然対流しタンク６４の下部、さらには側壁部４８Ａの下部（すなわち、冷却成形テーブル４８の下部）を経て水槽５０に供給される（図３における矢印の向きを参照）。
【００６９】
このように、冷水６２が廃プラスチック処理装置１０の内部を循環するため、冷水６２を循環させるためのポンプや、温度上昇した冷水６２を冷却する冷却装置が不要となる。従って、廃プラスチック処理装置１０は、装置を小型化できると共に廉価にすることができる。またこの場合、廃プラスチック処理装置１０は、冷水６２を円滑に循環させることができ、廃プラスチック溶融体８０及び廃プラスチック成形体８２の冷却に、より一層効果的である。
【００７０】
さらに、廃プラスチック処理装置１０は、冷水６２を繰り返し利用するので、廃プラスチック溶融体８０及び廃プラスチック成形体８２の冷却に要するコストを抑えることができる。
【００７１】
なお、本発明の第２の実施の形態では、２個の成形ローラ（成形ローラ５２、５４）によって廃プラスチック溶融体８０を冷却しながら２回圧縮成形するものとしたが、本発明はこれに限らない。本発明は、成形ローラによる廃プラスチック溶融体８０の圧縮成形回数を２回に限る必要はなく、例えば、成形ローラを３個設けて廃プラスチック溶融体８０を冷却しながら３回圧縮成形するというように、成形ローラの数を変更して廃プラスチック溶融体８０の圧縮成形回数を適宜変更してもよい。
【００７２】
また、本発明の第２の実施の形態では、液状の冷却媒体として冷水６２を用いたが、本発明はこれに限らない。本発明は、例えば、エチレングリコール等の液状の冷却媒体を上記冷水６２の代わりに用いてもよい。
【図面の簡単な説明】
【００７３】
【図１】本発明の第１及び第２の実施の形態に係る廃プラスチック処理装置の構成を示す正面断面図である。
【図２】本発明の第１の実施の形態における、図１の２−２線に沿った断面図である。
【図３】本発明の第２の実施の形態において、第１の実施の形態の図２に対応する図である。
【符号の説明】
【００７４】
１０    廃プラスチック処理装置
４８    冷却成形テーブル（冷却テーブル）
４８Ａ  側壁部
４８Ｂ  側壁部
５０    水槽（循環槽）
５２    成形ローラ
５４    成形ローラ
６２    冷水（冷却媒体）
６４    タンク
８０    廃プラスチック溶融体（溶融状態の廃プラスチック）
【図１】
2005074898.tif 000003
【図２】
2005074898.tif 000004
【図３】
2005074898.tif 000005